(57)【要約】【課題】    電話機に取り付けたビデオカメラの撮影方向を変向する装置を小型化し、かつ、故障を少なくする。【解決手段】    電話機本体中に収めたビデオカメラは動かさず、カメラのレンズの直前に４５度に傾斜した反射鏡を設け、その反射鏡の裏面にカメラのレンズ軸を通る回転軸を取り付け、その回転軸の他端にツマミを設け  反射鏡を回転しうるようにし、反射鏡の周囲に透明な窓を設ける等して解決する。【選択図】    図１
2005094590.tif 000002
【特許請求の範囲】
【請求項１】
ビデオカメラを内蔵した電話機本体において、そのレンズの直前にレンズ面に対して、４５度に傾斜した反射鏡を設け、レンズ軸及び反射鏡の中心を連ねる可動回転軸の一端を反射鏡の裏面に取り付け、該回転軸を回転させる機構を設けて成る、撮影方向可変型ビデオカメラ付電話機システム。
【請求項２】
電話機のキー及び光学的ディスプレー以外の表面に、加圧すれば通電抵抗が変化する圧電ゴム・チタン酸バリウム・その他から成る膜状スイッチを張り付けて覆うか、電話機本体にかぶせる蓋と本体をつなぐ部分にリミットスイッチや膜状スイッチを設け、これらスイッチが圧力変化を検知すれば、緊急情報表示と共に、本体のカメラが捕えた影像・位置情報・その他の情報を、警察・その他の緊急情報収集対象に送信するようにして成る、電話機本体の、いずれの箇所を押しても、緊急情報が発信されるようにした、請求項１に記載の電話機システム。
【請求項３】
携帯電話器等の裏面に付着するためのゴム製上向き凹面吸盤と、その直下に位置し、机上・壁面等に付着するための下向き凹面吸盤を設け、両吸盤の中央を吸盤の直径より小さい連結部、または周編部を緩衝溝を有する連結部を介してつないだ、電話機の任意箇所への固定装置を設けて成る、請求項１に記載の電話機システム。
【請求項４】
使用モードを切り替えての、請求項１、２に記載の電話器を指等でたたくことによるビデオ画像のゆれ、緊急情報スイッチからの発生信号、マイクロホンに入る拍手音等を拍手音発生トリガーにし、電波・赤外線・超音波等の搬送波に乗せて送信する回路と、それらの信号を受信し、内蔵のコンピューターにより、一たたきで数回の拍手音を発生させ、一ボックスの中央、または対称位置に設けたスピーカーから発音させる回路と、該ボックスの対称位置に設けた出力信号を相殺するように結線した複数のマイクロホンと、その有効差拍手音入力による出力パルス信号を数倍の個数の拍手音に変換してスピーカーから出力する回路を設けて成る、請求項１に記載の電話機システム。
【請求項５】
光学ディスプレーに左右の異なる画像から成る立体画像を表示する回路を設け、両画像を別々に通す偏向角や色彩の異なる眼鏡玉等を取り付けた左・右眼用の眼鏡フレームを設け、両フレームの外縁をつなぐ柔軟な弾性ベルトを設け、他の遊離縁に取り付けた両フレームを着脱するための止め金を設けて成る、請求項１に記載の電話機システム。
【請求項６】
電話機に設けたテレビカメラにより、紙幣の番号を読み取り、該番号を電話機内のメモリーに記憶すると共に、読み取り者の氏名、位置情報等を送信しうるようにして成る、請求項１に記載の電話機システム。
【請求項７】
音声入力機能付のワードプロセッサーにおいて、その文書作成画面中の、キーボードから入力された文の行間や、周囲に、テレビカメラで読み取った文字原稿を表示し、かつ、キー入力により、その誤読箇所を訂正し、本文中に取り込みうるようにしたコンピューター機能を設けて成る、請求項１に記載の電話機システム。
【請求項８】
電話機の宋受話機を持ち上げると、音量制御用リミットスイッチが作動したり、送受信ボタンを押す等すれば、音量制御用電磁波信号が、テレビ受信機・ラジオ受信機等の視聴覚器機内の、音量制御回路に入り、電話機の送受話中には、視聴覚器機の動作音量を任意に低減しうるようにした、請求項１に記載の電話機システム。
【請求項９】
野外等を走る二輪車や四輪車のハンドルや車体に請求項１に記載の電話機を取り付け、家庭や病室内の、エンコーダーを設けた回転テーブルや、運動訓練用自転車のハンドルに取り付けた支柱等に請求項１の電話機を取り付け、裸眼、または立体眼鏡をかけた室内の人が、回転テーブルや自転車のハンドルを動かせば、方位センサーやエンコーダー等からの方位情報や回転角度情報が、野外の電話機に送信され、その反射鏡の駆動モーターを動かすか、車載機の光学ディスプレーに方向情報を表示し、車の運転者がハンドルを切って撮影方向を変え、室内の電話機に送信し、その光学ディスプレーに表示するか、既製の野外の、あらゆる方向の撮影像を記録したコンピューターのハードディスク・ＣＤＲＯＭ・半導体メモリー等の記録像中の、方向情報に対応する画像のコマを選択的に取り出して連続的に表示するようにして成る、請求項１に記載の電話機システム。
【請求項１０】
光学的ディスプレーの奇数位水平走査線上に通常の陽画像を水平偏光で表示し、偶数位水平走査線上にその反転画像である陰画像を垂直偏光で表示するか、陽画像と、院画像を交互に表示し、裸眼では、白色にしか見えないが、垂直偏光を遮断する水平偏光板眼鏡をかけるか、本体から暗号化して送信される院画像の表示時期を示す暗号信号を送信し、液晶シャッターをその時期のみ作動させる眼鏡をかけた人には、秘密情報陽画像を見うるようにした電話機において、陰画像を時々、弱めて、秘密情報可視眼鏡をかけ忘れた人に警告するようにする情報処理をするようにして成る、請求項１に記載の電話機システム。
【発明の詳細な説明】
【技術分野】
【０００１】
本発明は、電話機システムに関するものである。
【背景技術】
【０００２】
従来、携帯電話機にビデオカメラを取り付ける事は周知である。また、ビデオカメラにつながる軸を動かして、撮影方向を変える方式は、「送電システム」特願２００１−３００２０９、（出願人、藤村明宏）に記されている。
【発明の開示】
【発明が解決しようとする課題】
【０００３】
一台の携帯電話機や固定電話機に、一つのビデオカメラを取り付けた従来のシステムでは、種々の方向の撮影をするためには、電話機自体を動かす必要がある。
特願２００１−３００２０９に記す、カメラの方向を、電話機内において、カメラに連なるツマミを手動的に動かす方式では、カメラに連なる電気コードがねじれて傷みやすく、電話機内に、かなり広い空間を設ける必要があり、電話機が大型化しやすい。
本発明は、それらの欠点を解消し、更に、ビデオカメラ付電話機の機能を向上させようとするものである。
【課題を解決するための手段】
【０００４】
電話機本体中に設けたビデオカメラのレンズの直前にレンズ面に対して、４５度に傾斜した反射鏡を設け、レンズ軸及び反射鏡の中心を連ねる可動回転軸の一端を反射鏡の裏面に取り付け、該回転軸を回転させる機構を設けて上記の課題を解決し、その他の種々の工夫により、ビデオカメラ付電話機を高機能化する。
【発明の効果】
【０００５】
本発明を実施すれば、電話機本体に取り付けたビデオカメラを動かす事なく、従って、故障の可能性が少なく、電話機内に大きなスペースを設ける必要がなく、本体を動かさずに、種々の方向の撮影をしうる、ビデオカメラ付電話機システムが得られ、そのような電話機システムの高機能化を図る事ができる。
【発明を実施するための最良の形態】
【０００６】
図１は、本発明を実施した携帯電話機の縦断面図。図２はその平面図。図３はその両面吸盤の平面図である。
１は、携帯電話機本体。
２は、その上面に突出した多数のキーから成るキーボード。
３は、各キーを通す多数の小孔を有する浅い箱形のスイッチカバー。
４は、その下面と、本体との間に接着された四角形の圧電ゴム製スイッチ。
５は、光学ディスプレー。
６は、本体上面のくぼみ中に埋め込まれたビデオカメラ。
７は、そのレンズ側に４５度傾斜して保持された反射鏡。
８は、その裏面の中心に連なる回転軸。
９は、その前端に連なるツマミ。
１０は、鏡の右方の窓ガラス。
１１は、鏡の下方の窓ガラス。
１２は、本体の下面に取り付けた多数のくぼみが並ぶゴム製両面吸盤。
１３は、その各吸盤間の緩衝溝。
１４は、その下半部を構成する下向きのくぼみを多数有する下部吸盤。
【０００７】
次にこの動作を説明する。
電話機本体１は、従来の機能のほか、種々の用い方ができる。
図２のような状態では、本体右方向の被写体の光は、窓ガラス１０を通り、反射鏡７で９０度方向を変え、ビデオカメラ６に入り、ディスプレー５に表示され、キーボード２の操作で、電波に乗って送信される。
【０００８】
ツマミ９を回し、反射鏡７を上向きにすると、電話機の所持者の顔等、上方の映像がカメラ６に入る。
更に、ツマミ９を回して反射鏡を下向きにすれば、窓ガラス１１を通して下方の映像がカメラに入る。
【０００９】
このように、ツマミ９を回せば、反射鏡が回転するのみで、カメラ６は動かず、そのコードもねじれず、故障を起こしにくい。
また、どうしても  大きくなりやすいコード付カメラを種々の方向に動かすための空間を要せず、電話機の大型化を防ぐ事ができる。
【００１０】
種々の用途により、上・中・下、イズレの方向の像をカメラに入れてもよいが、次のような用い方をする事もできる。
図示しないが、縦×横×深さが、４０×８×２cm程度のプラスチック製の溝形容器の中ほどに、前方ほど下がった発泡樹脂製スベリ台形の小さなしきり板をはめ込んでおき、その前側に、多数枚重ねた札束を入れ、指または図示しないモーター付駆動装置でその１枚ずつを後方に、しきり板を越えて、スライドさせ、溝の後方に蓄える。
机上に、両面吸盤１２で固定した本体１を置き、指等で紙幣を動かす際、窓ガラス１１の下を各紙幣の紙幣番号（記番号）が通過するように溝を置き、カメラ６に入れる。
その映像信号は、本体１中のコンピューターのＯｃｒソフトで読み取られ、メモリーに記憶される。（モード選択で、ビデオカメラ６をリニア型ビデオスキャナーに切り替えておいてもよい。）
全紙幣の番号を読み取った後、キーボードを操作し、屋内のコンピューターに記憶させたり、電話局を通じて、セキュリティーサービス会社や、警察の特設コンピューターに送信しておく。
【００１１】
もし、このような紙幣番号の読み取り中に強盗等に襲われたり、屋外で危険に瀕した場合、手で激しくキーボード２をたたくと、キーは沈み、かつ、スイッチカバー３もたたかれ、圧電ゴム製スイッチ４がカバーで圧迫され、本体内のコンピューターは、「緊急通報」等の音声と文字による言葉と共に、蓄積されている紙幣番号、内蔵のＧＰＳ等による位置情報、カメラ６の映像等を警察、セキュリティーサービス会社等に通報する。
本体１の所持者が子供等の場合では、近親者等にも通報されるようにしてもよい。
近辺の防犯灯等の設備にも電磁波等で送信し、ランプの点滅、サイレンをならす、ビデオ撮影をする、警察への連絡等を実行する等させてもよい。
なお、このように圧電ゴムや、チタン酸バリウムその他の膜状スイッチで、本体１の周囲を囲む事により、容易に緊急通報を行ないうるようにしうる。
このようにすれば、緊急用の大きなスイッチを特設する必要がなくなる。また、特願２００２−３３１９７９、「印刷システム」、出願人藤村明宏、に記す方式のような、複数のキーを同時にたたく事により緊急情報を発信する方式のように、一つのキーだけにしか手がかからず、緊急情報が発信できない場合が生じる事もなくなる。
【００１２】
なお、スイッチカバー３と、本体１の間に、圧電ゴムの代わりに、複数のリミットスイッチ（マイクロスイッチ）を挿入してもよいし、本体１全体の上面にかぶせる蝶番付の蓋を設け、蓋がかぶされば、本体に設けたリミットスイッチに接し、蓋を強く押せば、リミットスイッチ中の強いバネ（または特設したバネ）が縮み、接点が閉じ、緊急情報が発信されるようにしてもよい。
スイッチカバー３を省略し、圧電ゴム４でキーやディスプレー以外の本体１の表裏全体を覆い、いずれを手でたたいても緊急情報が発信されるようにしてもよい。
続けて、二度または三度以上たたいた場合のみ、緊急情報が発せられるようにしてもよい。
その場合、ほぼ同形の練習機を造り、うまくたたければ、合格音が発生するようにして、子供たちに練習させる必要がある。
【００１３】
両面吸盤１２で、本体１を机上等に固定してキー入力を行なえば、高齢者や身体不自由者でも、確実に入力しうるし、上記のような紙幣番号の読み取りをしたり、垂直壁面に取り付ける事等もできる。
複数の各吸盤間の緩衝溝１４は、各吸盤が付着する際に、直径が増し、周辺部が拡大するので、相互間距離が、変動しないよう、伸縮して適応させる。
この両面吸盤を、本体１からはがして本体のみで用いる事もできる。
なお、各吸盤は六角形その他の形にしてもよい。
１枚の硬質プラスチック板の上下面に、複数の上部と下部の吸盤の中心部を取り付けてもよい。
あるいは、直径の大きい上部と下部の吸盤を一組、その中心部を上下に並べてつないだのみの物にしてもよい。（この製造に際しては、左半部と右半部とに分かれた金型で一挙に造ってもよいし、上部吸盤の中心部から下方に伸びる軸状部に雄ねじを設け、下部吸盤の中心部から上に伸びる軸状部に設けた雌ねじ中に、接着剤を塗って、はめ込んでもよい。）
これらの両面吸盤は、机上に花瓶を固定する、その他の用途にも用いうる。
本体１の底面に、両面接着テープで面ファスナーの一方を取り付け、他方を机上等に取り付け、着脱可能に固定してもよい。
特設スイッチ、またはモードを切り替えた後、キーを押せば、反射鏡７の回転軸８がマイクロモーターで動くようにしてもよい。
本体１における、反射鏡７の周囲を透明プラスチックで囲み、視界を広くし、軸８中と、ツマミ９を貫く、軸８に蝶番等でつないだ反射鏡７の駆動軸を設け、該駆動軸を軸方向に動かせば、反射鏡７の傾斜を変える事もできるようにしてもよい。
反射鏡の傾斜もマイクロモーターで変えうるようにしてもよい。
反射鏡を同機能を持つプリズム等に代えてもよい。
【００１４】
図４は電話機本体１に連動する拍手増倍器の正面図である。
１５は、拍手増倍用発音ボックス。
１６は、その正面に設けた電波受信器。
１７は、赤外線受信器。
１８は、中央の低感度マイクロホン。
１９〜２０は、その出力電圧が相殺されるように結線された左右の高感度マイクロホン。
２１は、中央のスピーカー。
２２〜２３は、左右のスピーカー。
【００１５】
カラオケのある場所において、本体１のキーを操作し、拍手増倍モードに切り換え、拍手をしたい時、軽く指でスイッチカバー３をたたくと、圧電ゴム４に生じるパルス電圧や、カメラ６の映像の動揺を検出して造られるパルス電圧等により、一たたきで生じた一ツノパルス電圧が、本体１の室内用電波（または赤外線）の搬送波に乗って、電波受信器１６（または赤外線受信器１７）に入り、拍手増倍用発音ボックス１５内のコンピューターで数個の拍手音電流に変換され、スピーカー２１や２２〜２３から音として出力され、室内をにぎわす事になる。
その際、左右のマイクロホン１９〜２０に、各スピーカーからの音が入る事になるが、各スピーカーからの音は、低感度マイクロホン１８に入ってもハウリングを生じない。また、マイクロホン１９と２０に同音量・同位相で入るが、両マイクロホンの出力電圧は相殺され、０になり、各スピーカーから出る音で、ハウリングを起こす事はない。
【００１６】
手そのもので拍手をしたい場合には、低感度マイクロホン１８の正面に近ずいて拍手するか、横から、拍手し、高感度マイクロホン１９か２０のいずれかに、他よりも強い音を入れ、その出力差がコンピューターに加われば、有効出力として働き、増倍拍手が各スピーカーから、出力されるようにする。
【００１７】
なお、電話機本体１から、拍手指令信号が、超音波搬送波で、発音ボックス１５に送信されるようにしてもよい。
電波・赤外線・超音波等の受信機を省略し手による拍手音のみで作動するようにしてもよい。
その場合、マイクロホン１９と２０を、それぞれ同長の数１０cmのジョイント付アームでボックス１５の左及び右から遠ざけうるようにしてもよい。
あるいは、マイクロホン１９と２０をそれぞれ、左と右方向に指向性を持つものにし、マイクロホン１８の左右に隣接させてもよい。
両マイクロホンの、わずかな出力差でも反応しうるようにすれば、マイクロホン１８は省略してもよい。
【００１８】
多数のスピーカーを用いれば、にぎやかな感じが出しやすいが、スピーカー２１を省略したり、逆に、２２と２３のセットを省略したりしてもよい。
モードを切り換え、本体１の上で拍手すると、その内蔵マイクロホンに入り、電磁波等により搬送され、ボックス１５の受信器に入り、拍手増倍機能が生じるようにしてもよい。
【００１９】
ビデオカメラ６と同様のカメラを６cm程度の距離を離して、本体１の前面等に設け、モード選択により、各カメラの左眼像と右眼像に対応する像を電波で送信すると共に、光学ディスプレー５の左右の半側ずつに表示するようにしてもよい。
その場合、ディスプレー上の左眼像対応面には、垂直偏光板を張り付けておき、右眼像の対応面には、水平偏光板を張り付けておく。
【００２０】
図５は、光学ディスプレー５を立体視用にした場合に用いる偏光眼鏡の正面図。図６は、その平面図。
２４〜２５は、左右の眼鏡フレーム。
２６は、フレーム２４に張り付けた垂直偏光板から成る眼鏡玉。
２７は、フレーム２５に張り付けた水平偏光板から成る眼鏡玉。
２８は、両フレームの縁をつなぐ肉薄で、柔軟なゴムベルト。
２９〜３０は、両フレームの他縁に取り付けた湾曲金属板等から成る止め金。
【００２１】
上記のような偏光板を用いたディスプレー５に通常の映像が映っても、裸眼（肉眼）で見れば、ほとんど  左右の偏光板の駆別はできない。
しかし、眼鏡玉２６を左眼の援前に、２７を右眼の前に持ってきて、ゴムベルト２８を後頭部に回し、止め金２９と３０を掛けて、左右のフレーム２４と２５をつなぐと、ディスプレー５の垂直偏光像は眼鏡玉２６を通して左眼のみに入り、ディスプレーの右半部の水平偏光は、眼鏡玉２７のみを通して、右眼に入り、２台のカメラに入った左右眼像に対応する映像が見え、立体像が見える。
この際、軽いフレームと眼鏡玉を支えるには、弱いゴムベルト２８で充分であり、頭への締め付けによる不快間が、ほとんど生じないため、長時間の使用に耐えられる。
またそれを着脱する際、耳に掛ける方式では、耳が痛くなりやすいし、輪状のものでは、着脱の際に、頭髪のセットが乱れる。
このようにすれば、ゴムベルト２８を両手で後頭部に回し、眼前で、止め金２９と２３を容易に掛ける事ができ、はずす事もできる。
なお、フレーム２４と２５を始めから連結しておき、フレームの一つの外縁と、ゴムベルトの端との間に止め金２９と３０を設けてもよい。
止め金２９、３０を面ファスナー、スナップボタンその他に置き換えてもよい。
【００２２】
本体１を壁面に張り付けて見る場合等、肘掛け椅子に座り立体像を見る場合、図示しないが、肘掛けの部に上からかぶせ、その弾力で肘掛けに固定されるる断面がコの字形のプラスチックチャンネルを設け、その上面の前端、後端等に支柱を立て、その上端に眼の前にくる左右の立体像に対応する眼鏡玉を設けたフレームを取り付けて成る、頭に掛ける必要のない立体眼鏡を用いてもよい。
このフレームに、プラスチック製の双眼鏡も取り付けたり、支柱とフレームを折りたたんで、プラスチックチャンネル内に収めうるようにしたり、支柱を伸縮可能にする等してもよい。
この眼鏡は、大型立体映画スクリーンを見る、その他に用いてもよい。
【００２３】
ディスプレー５に、奇数ヒールドに対応する走査線上には垂直偏光板を置き、偶数フィールドに対応する走査線上には、水平偏光板を置いたものにしてもよい。
ディスプレー５の  一画面に、左眼像は赤、右眼像には青のフィルターをかけて撮影した像を重ねて表示する立体像では、フレーム２４に赤、２５に青のフィルターを用いた眼鏡玉を取り付けて見るようにすればよい。
フレーム２４、２５に軽いプラスチック凹レンズ・凸レンズや、サングラス用フィルターを取り付け、一般用眼鏡として用いてもよい。
【００２４】
Ｅメールの文を作成する場合等、キーボードから入力する方式に併用して、次のような入力方式を用いる事ができる。
壁面に立てかけた紙に書いた原稿を、ビデオカメラ６で撮影し、本体１中のメモリーに取り込み、ＯＣＲソフトで、文字変換し、ディスプレーの左半部に表示されているキーボードで作成中の文章の右方に表示する等する。
ＯＣＲソフトの変換率は、１００パーセントには、いたらないので、変換しえた文の中に、変換できなかった文字を赤色等で、グラフィック文字として、そのまま表示する。
原稿を見たり、文の前後関係等から、変色文字を入力者が判定し、正しい文字をキー入力する。
原稿通りに修正できれば、左右方の文中に転送する。
このようにすれば、キー入力のみで長文を作成するより、はるかに短時間で、入力が完了する。
このような方式は、通常のワープロで文を作成する場合にも、スキャナーやカメラで原稿を読み取り、ワープロ画面中に取り込み、修正し、文中に加えるように用いてもよい。
更に、これらに録音音声を音声−文字変換ソフトで文字に変換し、同一ワープロ画面上に表示し、キー操作で修正したり、音声再生の平均値速度を２分の１〜５分の１程度にし、録音時と同速の反復再生音声を何度も耳で聞きながら文字をキー入力するようにしてもよい。（「書写用減速再生テープレコーダー」特許第２８１４３８５、特願昭６２−２２２２６６、及び「模様形成型太陽電池システム」特願２０００−３９７３２４、(出願人藤村明宏)参照）
【００２５】
図７は、送受話器をあげれば、テレビ受信機の音量が、あらかじめ設定しておいた強さに減弱される電話機システムの平面図。
３１は、ビデオカメラ内蔵の固定電話機。
３２は、その上面に設けた内蔵したビデオカメラのための窓。
３３は、内部の反射鏡の向きを変えるためのツマミ。
３４は、送受話器。
３５は、送受話器を置くためのくぼみ。
３６は、くぼみの底と縁に張り付けた横幅１cm程度の両面接着テープ。
３７は、その上面に張り付けた厚さ０．１mm程度の、ある程度の弾性と、可塑性を持つ、銀・銅・亜鉛その他の金属ベルトで、前端は、くぼみ３５の底面に付着するか、軽く上向きに弓なりに反っている。
３８は、その上に張り付けた両面接着テープ。
３９は、その上に張り付けた金属ベルトで、前端は、強く弓なりに、上向きに反っている。
４０は、くぼみ中のリミットスイッチ。
４１は、金属ベルト３７に連なる平行コードの一部。
４２は、金属ベルト３９に連なる同コードの他部分。
４３は、スピーカーボックス。
４４は、その音量調節用ボリューム。
４５は、テレビ受信機。
４６は、スピーカーボックスから伸び、テレビ受信機のイヤホンジャックにプラグをつないだコード。
【００２６】
通常は、送受話器３４をくぼみ３５に入れて、テレビ受信機４５の画面を見ながら、イヤホンジャックからの音をコード４６を経て、スピーカーボックス４３内のリレーの出力回路のＡ接点と、増幅器を介して、内蔵されたスピーカーに出力し、その音を聞く。
その際の音量は、テレビ受信機４５に付属のボリュームコントローラーにより、調節する。
外部から、電話機３１に電話がかかってきた時、送受話器３４を持ち上げると、リミットスイッチ４０が上がり、通話可能になり、内蔵のビデオカメラで、本人の顔等を映しながら、通話する。
送受話機を持ち上げた際、それまで、送受話器の重量で押さえられ、もともと上向きに弓なりに反っていたため、金属ベルト３７に接触していた金属ベルト３９の前端が持ち上がり、金属ベルト３７から離れ、両ベルトの接触で、一種のリミットスイッチのｏｎ状態を形成していたものが、ｏｆｆ状態になる。
その結果、コード４１と４２を経て、スピーカーボックス４３内の直流電源から該ボックス内のリレーの入力回路に流れていた弱電流が遮断され、該リレーは切り替わり、リレーのＡ接点を経てコード４６を通じて、ボックス４３内の増幅器に入力されていたテレビ受信機４５の音声信号が、同リレーのＢ接点と、ボリューム４４を介して増幅器に入るようになり、該ホリュームで、あらかじめ設定されていた強さに減弱されて、増幅器に入り、スピーカーボックス４３の音量は、小さくなる。
送受話器３４を通じての音量は、通話相手には、ほとんど達しないので、こちらの通話者は、テレビを見聞きしながら、通話する事もできるし、同室内の他者も、同様に見聞きする事ができる。
「マルチメディアシステム」特願２０００−１４７６４１（出願人藤村明宏）には、送受話器を取り上げれば、テレビやラジオの音が消える電話システムを記しているが、それでは、送受話器を取り上げれば、音量が０になる。
しかし、上記のようにすれば、送受話器を取り上げても、任意の大きさで、音を残す事ができる町所が生じる。
【００２７】
なお、連続的に音量を設定できるボリューム４４の代わりに、ロータリースイッチニ固定抵抗を多数つないだ音量調節装置、その他を用いてもよい。
スピーカーボックス４３内に増幅器を設けず、テレビ受信機からの音声出力を、通常は、リレーのＡ接点を経て、そのままスピーカーに流し、コード４１と４２の通電が遮断されれば、リレーのＢ接点を経て、スピーカーに直列、または並列に入ったボリュームを経て、スピーカーに入力されるようにしてもよい。
リレーに代わる半導体スイッチを用いてもよい。
金属ベルト３９の前端を平坦化し、３７の前端に大きな上向きの反りを与えておき、送受話器３４を置くと、金属ベルト３７が、３９から離れ、送受話器を取り上げると、金属ベルト３７が３９に接触し、ボックス４３内のリレーが切り替わるようにしてもよい。
ボックス４３内のリレーは省略し、コード４６内の信号線をボックス４３内のボリューム４４を介して、増幅器の入力端子につなぎ、かつ、その線をボリューム４４の手前で分岐させ、その線をコード４１の代わりに、金属ベルト３７につなぎ、金属ベルト３９と、コード４２を経て、ボリューム４４と並列の形で、テレビの音声信号をボックス４３内の増幅器の入力端子に加え、送受話器が置かれている時には、主として、金属ベルト３７と３９を経て、テレビ受信器の音声信号が、増幅器に入り、スピーカーボックス４３から出るようにし、送受話器を持ち上げれば、両ベルトの接触が離れ、ボリュームを通しての音声信号のみが出るようにしてもよい。
この場合でも、増幅器を省略し、テレビの音声信号が、ボックス４３内のスピーカーに直接入力されるようにしてもよい。
コード４１、４２のボックス４３側端を多数に分岐し、それぞれにプラグを設け、他のテレビ・ラジオ・ステレオ・その他の装置に設けたスピーカーボックス等につないでもよい。
送受話器３４を持ち上げると、リミットスイッチ４０が上がるが、それにより、内部回路が働き、電話機３１から、電磁波や超音波で、該電話機が通話開始状態になった情報をスピーカーボックス４３、その他に伝えるようにしてもよい。
この場合、テレビ受信機等のリモコン受信回路にその情報が入力され、テレビ受信機に設けた電話通話時の音量設定用ボリュームを含む音量低減回路が作動するようにし、スピーカーボックス４３を省略してもよい。
【００２８】
外出しにくい人のために、次のようにしてもよい。
野外等を走る二輪車や四輪車のハンドルや車体に電話機本体１を取り付ける。家庭や病室内にいる人は、回転角度をディジタル情報化するエンコーダーを設けた回転テーブルや、運動訓練用自転車のハンドルに取り付けた支柱等に、別の電話機本体１を取り付け、裸眼、または立体眼鏡をかけて野外の映像を見る。
室内の人が本体１のディスプレー５を見ながら、野外の情景内で、道路の分岐点等で、行きたい方向に回転テーブルや自転車のハンドルを動かせば、エンコーダーからの回転角度情報が、野外の電話機に送信され、その反射鏡の駆動モーターを自動的に動かすか、車載機の光学ディスプレーに方向情報を表示し、車の運転者がハンドルを切って撮影方向を変え、室内の電話機に送信し、その光学ディスプレーに表示する。（本体１中に方位センサーを設け、それをエンコーダー無しの回転テーブル上、または固定テーブル上に置き、電話機を回して選択した方位情報を送信してもよい。）
あるいは、あらかじめ、野外の道路ぞい等のあらゆる方向の撮影像を本体１中、またはそれにつないだコンピューターのハードディスク・ＣＤＲＯＭ・半導体メモリー等に記録しておき、その中の任意の出発点の映像をまず表示し、それから、行きたい方向に、回転テーブルやハンドルを向ければ、向けた方向に対応する画像が選択され、室内の本体１のディスプレーに表示されるようにしてもよい。
この場合、自動車のアクセルペダル（レバー）に似たペダルや、運動訓練用自転車のペダルを強く、あるいは速く踏めば野外の本体１に、その情報が表示されたり、ハードディスクその他の記録情報の再生コマ送り速度が早くなるようにしてもよい。
【００２９】
運動訓練用自転車のハンドルの中央上に伸縮可能な支柱を取り付け、その上端に本体１を取り付け、その前に設けた拡大用レンズまたは、凸レンズ付偏光板眼鏡をかけて映像を見るようにしたり、ハンドルの中央を貫く、回転しない支柱に双眼鏡を取り付け、やや離れた壁に本体１を取り付け、ハンドルを動かせば、ディスプレー５の表示像が動くようにしてもよい。
運動訓練用のトレッドミルや、１段〜数段の模擬階段に、人の運動状態のセンサーを設け、左右と前に手すりを設け、左右の手が接する手すりの付近に方向選択用スイッチを取り付け、立体眼鏡をかけ、眼前の壁や支柱に本体１を取り付け、そのディスプレーに表示される野外映像を見ながら、方向選択をしてもよい。
【００３０】
「カラオケシステム」、特許第２８９６３９５号、平成２年特許願第０３４１５６号（出願人、藤村明宏）には、運動速度に対応して、映像の動く速度を変えて野外像を表示するシステムを記しているが、ここに記すようにすれば、運動者等が、移動したい方向を選択する事も可能になる。
【００３１】
ディスプレー５を「見えない画像の合成装置」、特許第１８７６７３０、「特願昭５９−６７２７０、「偏光板を用いた潜像を含む絵画の製法」、特許第２６０６６８６、特願昭６０−１９４０５１、（出願人藤村明宏）その他に記すように、光学的ディスプレーの奇数位水平走査線上に通常の陽画像を水平偏光で表示し、偶数位水平走査線上にその反転画像である陰画像を垂直偏光で表示し、肉眼で見る人には、白色画面にしか見えないようにする回路を設け、垂直偏光を遮断する水平偏光板眼鏡をかけた人には、秘密情報等を見うるようにする。
しかし、このままでは、偏光眼鏡をかけ忘れている時、なぜ画面に表示がないのか迷う事もある。
そこで、時々、院画像のみを弱めたり、元の強さにする事を反復したり、一瞬院画像を消したりする等して、陽画像を見えるようにする。（その逆に陰画像のみを時々表示するようにしてもよい。）
画面の異常に気ずくと、使用者は、眼鏡をかけて見る事になる。
陽画像と、院画像を急速に一定周期やランダム周期で反復表示し、陰画像を表示するタイミング（または、陽画像を表示するタイミング）を他の眼鏡では見えないようにするため暗号化した赤外線搬送波で本体１から、暗号改読鍵を持つ液晶サッッター付眼鏡に送り、陽画像のみを通過させるようにしてもよい。
画面に小さく「偏光眼鏡をかけて下さい」と表示する事を併用してもよい。
【図面の簡単な説明】
【００３２】
【図１】本発明を実施した携帯電話機の縦断面図。
【図２】その平面図。
【図３】両面吸盤の平面図。
【図４】電話機本体１に連動する拍手増倍器の正面図。
【図５】光学ディスプレー５を立体視用にした場合に用いる偏光眼鏡の正面図。
【図６】その平面図。
【図７】送受話器をあげれば、テレビ受信機の音量が、あらかじめ設定しておいた強さに減弱される電話機システムの平面図。
【符号の説明】
【００３３】
１  携帯電話機本体。
２  キーボード。
３  各キーを通す多数の小孔を有する浅い箱形のスイッチカバー。
４  その下面と、本体との間に接着された四角形の圧電ゴム製スイッチ。
５  光学ディスプレー。
６  ビデオカメラ。
７  反射鏡。
８  回転軸。
９  ツマミ。
１０  右方の窓ガラス。
１１  下方の窓ガラス。
１２  ゴム製両面吸盤。
１３  その各吸盤間の緩衝溝。
１４  下部吸盤。
１５  拍手増倍用発音ボックス。
１６  電波受信器。
１７  赤外線受信器。
１８  中央の低感度マイクロホン。
１９〜２０  左右の高感度マイクロホン。
２１  中央のスピーカー。
２２〜２３  左右のスピーカー。
２４〜２５  左右の眼鏡フレーム。
２６  垂直偏光板から成る眼鏡玉。
２７  水平偏光板から成る眼鏡玉。
２８  両フレームの縁をつなぐ肉薄で、柔軟なゴムベルト。
２９〜３０  止め金。
３１  ビデオカメラ内蔵の固定電話機。
３２  内蔵したビデオカメラの窓。
３３  内部の反射鏡の向きを変えるツマミ。
３４  送受話器。
３５  送受話器を置くためのくぼみ。
３６  くぼみの底と縁に張り付けた両面接着テープ。
３７  その上面に張り付けた金属ベルト。
３８  その上に張り付けた両面接着テープ。
３９  その上に張り付けた金属ベルト。
４０  くぼみ中のリミットスイッチ。
４１〜４２  金属ベルト。
４３  スピーカーボックス。
４４  その音量調節用ボリューム。
４５  テレビ受信機。
４６  コード。
【図１】
2005094590.tif 000003
【図２】
2005094590.tif 000004
【図３】
2005094590.tif 000005
【図４】
2005094590.tif 000006
【図５】
2005094590.tif 000007
【図６】
2005094590.tif 000008
【図７】
2005094590.tif 000009
【手続補正書】
【提出日】平成16年10月22日(2004.10.22)
【手続補正１】
【補正対象書類名】明細書
【補正対象項目名】００３０
【補正方法】変更
【補正の内容】
【００３０】
運動訓練用自転車のハンドルの中央上に伸縮可能な支柱を取り付け、その上端に本体１を取り付け、その前に設けた拡大用レンズまたは、凸レンズ付偏光板眼鏡をかけて映像を見るようにしたり、ハンドルの中央を貫く、回転しない支柱に双眼鏡を取り付け、やや離れた壁に本体１を取り付け、ハンドルを動かせば、ディスプレー５の表示像が動くようにしてもよい。
運動訓練用のトレッドミルや、１段〜数段の模擬階段に、人の運動状態のセンサーを設け、左右と前に手すりを設け、左右の手が接する手すりの付近に方向選択用スイッチを取り付け、立体眼鏡をかけ、眼前の壁や支柱に本体１を取り付け、そのディスプレーに表示される野外映像を見ながら、方向選択をしてもよい。
ディスプレー５にアドベンチャーゲームその他のゲームソフトの画面を表示し、ペダルを踏んだり、歩いたりすると現われる道路や周囲の風景が変わり、道路の分岐点等、いずれを選択すべきかにあたって、ハンドル操作やスイッチ操作で選ぶようにし、運動訓練にゲーム性を取り入れてもよい。
このゲームソフトは、インターネット回線等で、定期的に配信するようにしてもよい。